(57)【要約】  【課題】  ケース内面と反射板の背面とで空間を作って熱の放出を抑制する構造においてソケットを表出させ、かつ、熱気を上方に漏らさないようにすること、および、ランプを収めたケース内の熱が周囲にできるだけ伝わらないようにすることをを課題とする。  【解決手段】  ランプを装着するソケットと、前記ランプを内部に保持する、側面および上面に通気孔の無い下方が開放したドーム状のランプケースと、前記ランプの上方を取り囲み下方へ光を反射する、背面側に空間ができるように前記ランプケースに固定される反射板とを有する天井板に埋め込まれて支持される天井埋込型照明器具において、前記ソケットの後端側は前記ランプケースの外部に存するとともに、前記ソケットと前記ランプケースとの境界が密閉され、前記ランプケースの上方側に一定の隙間を設けて固定される板状体からなる天板を有するものである。【選択図】  図３
2006260986.tif 000002
【特許請求の範囲】
【請求項１】
ランプを装着するソケットと、
前記ランプを内部に保持する、側面および上面に通気孔の無い、下方が開放したドーム状のランプケースと、
前記ランプもしくは前記ソケットが挿入されるランプ挿入孔を有し、前記ランプの上方を取り囲み下方へ光を反射する、背面側に空間ができるように前記ランプケースに固定される反射板とを有し、
前記ソケットの後端側は前記ランプケースの外部に存するとともに、前記ソケットと前記ランプケースとの境界が密閉されていることを特徴とする天井埋込型照明器具。
【請求項２】
前記ランプケースには前記ソケットが挿入されるソケット挿入孔が設けられ、このソケット挿入孔と前記ソケットの外面との隙間にパッキンが設けられることにより前記ソケットと前記反射板の前記ランプケースとの境界が密閉される請求項１に記載の天井埋込型照明器具。
【請求項３】
前記ソケットの外面もしくは前記ランプケースの内面と、前記反射板の前記ランプ挿入孔とが密閉される請求項1又は２に記載の天井埋込型照明器具。
【請求項４】
前記ソケットの外面もしくは前記ランプケースの内面と、前記反射板の前記ランプ挿入孔との隙間にパッキンが設けられることにより前記ソケットの外面もしくは前記ランプケースの内面と、前記ランプ挿入孔とが密閉される請求項３に記載の天井埋込型照明器具。
【請求項５】
ランプを内部に保持する、側面および上面に通気孔の無い下方が開放したドーム状のランプケースと、
前記ランプケースの上方側に一定の隙間を設けて固定される板状体からなる天板とを有する天井埋込型照明器具。
【請求項６】
前記天板の上面及び／又は下面に複数のリブが設けられる請求項５に記載の天井埋込型照明器具
【請求項７】
前記ランプケースの外周面との間に隙間ができるように、前記ランプケースの外周面を取り囲んで固定される筒状体よりなる通気筒を有し、
前記天板の少なくとも一部は前記通気筒の真上に位置する
請求項５又は６に記載の天井埋込型照明器具。
【請求項８】
前記ランプケースと前記天板との間に一以上の板体よりなる遮熱板を設けた請求項５から７のいずれか１項に記載の天井埋込型照明器具。
【発明の詳細な説明】
【技術分野】
【０００１】
本発明は天井板に埋め込まれて支持される下方開放型の埋込型照明器具に関する。
【背景技術】
【０００２】
天井埋込型照明器具は、図６（ａ）に示すように下面が開放したドーム状のランプケース１内に反射板２と光源となるランプ３を収納したものや、図６（ｂ）に示すようにドーム状のランプケースがなく、代わりに下面が開放した反射板２と光源となるランプ３にランプソケット等を取り付けるための天板４を設けるものが一般的である。
一方、近年の住宅建築では断熱施工が主流であり、天井裏には断熱材が充填されている。このような断熱材が充填された天井裏に埋込型照明器具を取り付ける場合、埋込型照明器具Ｙは図７に示すように断熱材Ｗで覆われてしまう。このため、埋込型照明器具Ｙの周囲はランプから発生した熱を蓄積しやすい状態となり、高温による火災や機器の破損などが生じる可能性が高くなる。これを防ぐために業界では埋込型照明器具の温度上昇に厳しい規格値を設けている。
このような天井埋込型照明器具の温度上昇を抑制する方法として埋込型照明器具自体の容積を大きくして熱容量を増やすことが広く行われてきた。しかし、デザイン的に埋込型照明器具の天井埋込径を小さくしたい場合も多く、従来の方法ではこのような要望に対応することができなかった。
熱容量を大きくする以外に、天井埋込型照明器具の温度上昇の抑制する方法として、例えば下記特許文献１、２に、通気孔の無いランプケース内面と反射板の背面との間に空間を設けることで、上方への熱の移動を遮断するとともに、ランプケースの下方に通気孔を設けることで熱を逃がす発明が開示されている。
【特許文献１】実開昭５９−９５５１９号
【特許文献２】実開昭６２−８１３１６号
【発明の開示】
【発明が解決しようとする課題】
【０００３】
ところで、上記特許文献１、２に記載の発明では、ランプのソケットがすべてケース内に収められている。この、ソケットを外部に出すと、ソケットが外気に触れて冷却されるので、ケース内の熱をソケットを通じて逃がすことができると考えられる。しかし、このようにソケットを外部に出すにはランプケースに穴を開ける必要があり、この穴から熱せられた空気が漏れ、密閉された照明器具の周囲を高温にしてしまう恐れがある。
また、上記特許文献１、２に記載の発明では、ケース内で最も熱い空気は上方に溜まり、ケースの上面を熱することになる。そして、ケースの上面から対流や伝導により熱が漏れ、照明器具の周囲を高温にしてしまうという問題もある。
以上のことに鑑みて、本発明は、ケース内面と反射板の背面とで空間を作って熱の放出を抑制する構造においてランプソケットを表出させ、かつ、熱気を上方に漏らさないようにすること、および、照明器具外郭の温度をできるだけ低くすることを課題とする。
【課題を解決するための手段】
【０００４】
上記課題を解決するために、本発明は次のような構成を有する。
請求項１に記載の発明は、ランプを装着するソケットと、前記ランプを内部に保持する、側面および上面に通気孔の無い、下方が開放したドーム状のランプケースと、前記ランプもしくは前記ソケットが挿入されるランプ挿入孔を有し、前記ランプの上方を取り囲み下方へ光を反射する、背面側に空間ができるように前記ランプケースに固定される反射板とを有する天井板に埋め込まれて支持される天井埋込型照明器具において、前記ソケットの後端側は前記ランプケースの外部に存するとともに、前記ソケットと前記ランプケースとの境界が密閉されていることを特徴としている。なお、固定には直接固定する場合のほか間接的に固定する場合も含まれる。
請求項２に記載の発明は、前記天井埋込型照明器具において、前記ランプケースには前記ソケットが挿入されるソケット挿入孔が設けられ、このソケット挿入孔と前記ソケットの外面との隙間にパッキンが設けられることにより前記ソケットと前記ランプケースとの境界が密閉されるものである。
請求項３に記載の発明は、前記天井埋込型照明器具において、前記ソケットの外面もしくは前記ランプケース内面と、前記反射板の前記ランプ挿入孔とが密閉されるものである。
請求項４に記載の発明は、請求項３に記載の天井埋込型照明器具において、前記ソケットの外面もしくは前記ランプケース内面と、前記反射板の前記ランプ挿入孔との隙間にパッキンが設けられることにより前記ソケットの外面もしくは前記ランプケース内面と、前記反射板の前記ランプ挿入孔とが密閉されるものである。
【０００５】
請求項５に記載の発明は、ランプを内部に保持する、側面および上面に通気孔の無い下方が開放したドーム状のランプケースと、前記ランプケースの上方側に一定の隙間を設けて固定される板状体からなる天板とを有するものである。
請求項６に記載の発明は、請求項５に記載の天井埋込型照明器具において、前記天板の上面及び／又は下面に複数のリブが設けられるものである。
請求項７に記載の発明は、請求項５又は６に記載の天井埋込型照明器具において、前記ランプケースの外周面との間に隙間ができるように、前記ランプケースの外周面を取り囲んで固定される筒状体よりなる通気筒を有するものであり、また、前記天板の少なくとも一部は前記通気筒の真上に位置するものである。
請求項８に記載の発明は、請求項５から７に記載の天井埋込型照明器具において、前記ランプケースと前記天板との間に一以上の板体よりなる遮熱板を設けたものである。
【発明の効果】
【０００６】
請求項１に記載の発明は、ランプのソケットの後端部分をランプケースの外側に位置させることにより、熱伝導によりソケット後端側へ伝わったランプの熱を放出することで、ランプケース内の温度上昇を抑えることができるともに、ソケットとランプケースとの境界が密閉されることで、ランプケースの周囲に伝わるランプケース内からの対流による熱移動は抑えることができる。
請求項２に記載の発明は、ランプケースにソケット挿入孔を設け、ソケットとランプケースとの境界となるソケット挿入孔とソケットの外面との隙間をパッキンで埋める構造を有するので、ランプケースとソケットを別々の製作することができ、製造コストを低減することができる。
請求項３に記載の発明は、反射板に設けられるランプ挿入孔と、前記ソケットの外面もしくは前記ランプケースの内面とが塞がれることで、反射板の背面とランプケースの内面とでできる空気層にランプからの熱が対流によっては伝わらないので、ランプケースの上面の温度をより低下させることができる。
請求項４に記載の発明は、ランプ挿入孔の内縁と前記ソケットもしくは前記ランプケースの内面との隙間をパッキンにより埋めるので、反射板とソケットもしくは反射板とランプケースを別々に製作することができ、やはり、製造コストを低減することができる。
【０００７】
請求項５に記載の発明は、ランプケースの上方側に一定の隙間を設けて固定された天板を設けることで、ランプケースの上面から熱伝導により周囲に熱が伝わることを防ぐことができ、また、天板により熱を拡散することができる。
請求項６に記載の発明は、天板の上面、下面のいずれか、もしくは、両方にリブを設けることにより、天板の表面積を大きくしてより熱を拡散させることができる。特に、上面にリブを設けることで、断熱材と天板との接触がリブの先端部のみとなり、このリブの先端の温度は放熱によって天板よりも低くなるので、本天井埋込型照明器具の最上面に関しより安全な温度を実現することができる。
請求項７に記載の発明は、ランプケースの外周面の周りに隙間ができるように取り付けられる通気筒により、天井下面の空気がランプケースの上方へ流通し、前記天板の少なくとも一部がこの通気筒の真上に位置するので、ランプケースから伝わった熱を受けた天板が、通気筒を通じて流れてくるより温度の低い天井下の空気により冷やされることになり、効率的に温度を下げることができる。
請求項８に記載の発明は、ランプケースと前記天板との間に一以上の板体よりなる遮熱板を設けることで、ランプケースの上面から天板へ伝わる熱をさらに減少させることができ、結果として断熱材へ伝わる熱をさらに減少させることができる。
【発明を実施するための最良の形態】
【０００８】
以下、本発明の実施形態について、図面を参照しながら説明する。
図１に本実施形態に係る天井埋込型照明器具Ｘの斜視図を示し、図２にこの天井埋込型照明器具Ｘの底面図を示し、図３に図２におけるＡ−Ａ断面図を示す。天井埋込型照明器具Ｘは、ソケット１０、ランプケース２０、反射板３０、天板４０、通気筒５０とからなる。
ソケット１０は光源となるランプＡに電気を供給する一般的なソケットが用いられる。ここではランプとして白熱電球１００Ｖ６０Ｗを使用している。ソケット１０は後述するように天板４０に固定される。
ランプケース２０は、合成樹脂により形成された下方が円形に開放されたドーム状をしており、側面上方にソケット１０が挿入される略円形のソケット挿入孔２１が設けられている。ソケット挿入孔２１からはソケットの先端部分のみがランプケース２０内に挿入される。この際、ソケット挿入孔２１とソケット１０の外周面との間に隙間ができるが、この隙間はシリコーンゴムでできた柔軟かつ弾性に富むリング状のパッキン２１ａにより塞がれる。なお、パッキン２１の材質は、柔軟かつ高温に耐えられる材質であれば足り、ポリアミド樹脂、フッ素系樹脂、ブタンゴム等も使用することができる。ランプケースの上面には、天板４０に距離を置いて固定するための、内部に雌ネジが切られた円柱上の固定脚２２が４本一体に形成されている。
【０００９】
反射板３０は、内側に鏡面を有するアルミ製のドーム状体であり、側面上方にランプＡの後端を通すための穴であるランプ挿入孔３１が形成されている。反射板３０の下端の外径はランプケース２０の下端の内径とほぼ一致しており、ランプケース２０と反射板３０との接合部分は密閉している。また、反射板３０はランプケース２０の内面に図示しない爪により嵌合し固定される。
天板４０は、合成樹脂製のやや細長い板体であり、ランプケース２０が取り付けられる一端側は外縁を円弧状に形成し、他端側は端部方向に末広がりに形成されている。そして、ランプケースが取り付けられる一端側の下面には前記ランプケース２０の固定脚２２に対応する位置にパイプ状の4本のスペーサー４３ａが一体に形成されている。このスペーサー４３ａと、これに相対する前記ランプケース２０の固定脚２２との間には四隅に穴のあいた金属性の円形の遮熱板４３が挟持され、天板４０の上面からスペーサーと固定脚２２を貫通するネジによりランプケース２０とともに天板４０に固定される。また、天板４０の下面の略中央には前記ソケット１０の後端面を固定する斜めにに面した板体とこれを支持する板体とからなる断面が三角状のソケット固定部４２が設けられる。このソケット固定部４２により、ソケット１０はランプケース２０に向って、斜めに固定されることになる。さらに、天板の下面の後端には、ソケット１０に電線により連結される電源接続端子台１２が固定されている。そして、天板４０の上面及び下面には放熱のために、それぞれ上部リブ４１ａ、下部リブ４１ｂが複数設けられている。下面リブ４１ｂは、ソケット１０の側面を覆うように下方へ広く形成することでソケット１０の保護部材としての役割も果たしている。
【００１０】
通気筒５０は、合成樹脂性の前記ランプケース２０の外径よりも大きな内径を有する筒状体でありランプケース２０と一体に形成されている。通気当５０の下端には天井Ｃに当接するフランジ５１が一体に形成されている。通気筒５０は、ランプケース２０の外周面に複数のブリッジ５２により支持されており、これにより、通気筒５０の内周面とランプケース２０の外周面との間にリング状の隙間が形成され、この隙間が天井の下面と天井懐とを連通する通気孔となる。また、通気筒５０の外周面には天井埋込型照明器具Ｘを天井に固定するための、外側に付勢される3枚の板バネ５３が斜め上方に放射状に固定されており、この板バネ５３を一端内側に閉じて天井Ｃに設けられた円形の穴Ｃ１に通すことで、板バネ５３の外側へ向う付勢力によって天井埋込型照明装置Ｘは天井に固定されることになる。
ランプケース２０、天板４０、通気筒５０を形成する合成樹脂は、ここでは、ＰＢＴが用いられるが、必要な、機械的強度、耐熱性を有するものであれば、どのような物を使用してもよく、ＰＥＴ、ナイロン樹脂、フッ素系樹脂などを使用することができる。
【００１１】
次に、このような構成を有する天井埋込型照明器具Ｘの作用について説明する。使用に際してランプＡが高熱になった場合、発生した熱の一部は対流により反射板３０のランプ挿入孔３１を通じて反射板３０の裏面とランプケース２０の内面との間の空間Ｓに伝わる。しかし、パッキン２１ａにより、ランプの熱が対流により直接ランプケースの外側へ伝わることがない。また、一部の熱は熱伝導によりソケットへ流れ、さらに、ソケットを固定する天板４０へ伝わる。伝わった熱は、ソケットの側面部および天板に拡散して放出される。一方、空間Ｓ内の暖められた空気はランプケース２０の上面を熱し、この熱はランプケースの上面外側から対流により上方へ伝わる。また、一部の熱は固定脚２２を通じて上方へ伝わる。これらの熱は、まず、遮蔽板４３により遮られ、これにより熱せされた遮熱板４３から、さらに、対流およびスペーサー４３ａからの伝導によって天板４０へ伝わる。天板に伝わった熱は広い面積に拡散されて放熱される。この際、天板４０は上下にリブ４１ａ、４１ｂがあるので、単なる板体に比べて表面積が広くなっているとともに、通気筒５０を通じて流通する天井下の空気により冷却されるので、効率的に熱を分散し冷却させることができる。また、上方のリブは断熱材と天板４０が直接触れることを防ぎ、断熱材に伝わる熱がより少なくなるようになっている。以上のような作用に加え、ランプケース２０および天板４０を熱伝導率の低い合成樹脂材料で形成しているので、これによっても、周囲に熱伝導で伝わる熱を低減することができる。
【００１２】
なお、上記実施形態では、ランプケース２０のソケット挿入孔２１と、ソケット１０の外面との間にパッキン２１ａを設けているが、これを、図４に示すように、反射板３０のランプ挿入孔３１とソケット１０の外面を塞ぐようなパッキン３１ａを設けてもよい。このようにすることで、反射板３０とランプケース２０との空気の流通を遮断することができ、ランプケース２０の内面と反射板３０の裏面とでできる空間Ｓへ、対流によってはランプからの熱が伝わらなくなるので、より温度上昇を抑えることができる。なお、図４に示すパッキン３１ａは、円形の鍔３１ａを有することでランプケース２０のソケット挿入孔２１とソケット１０との間も塞いでいる。
また、パッキンを使用するのではなく、ランプケース２０とソケット１０とを一体成型することによりランプケース２０とソケット１０との境界を密閉するようにしたり、反射板３０を合成樹脂性とし、ソケット１０と一体成型することで反射板３０のランプ挿入孔３１とソケット１０の外面を塞ぐようにしてもよい。この場合は反射板の表面側のみアルミ蒸着などで鏡面にする加工を施すことになる。
さらに、上記実施形態では天板４０下面のリブ４１ｂを２枚のみ設けているが、放熱効率を上げるために図５に示すようにより多く設けるようにしてもよい。
【図面の簡単な説明】
【００１３】
【図１】本実施形態に係る天井埋込型照明器具を示す斜視図である。
【図２】本実施形態に係る天井埋込型照明器具を示す底面図である。
【図３】図２におけるＡ−Ａ断面図である。
【図４】パッキン部分の変形例を示す縦断面図である。
【図５】下面リブの変形例を示す部分斜視図である。
【図６】（ａ）（ｂ）ともに従来の一般的な天井埋込型照明器具を示す斜視図である。
【図７】天井埋込型照明器具が天井に設置された状態を模式的に示す図である。
【符号の説明】
【００１４】
Ｘ      天井埋込型照明器具
１０    ソケット
２０    ランプケース
２１    ソケット挿入孔
２１ａ、３１ａ  パッキン
３０    反射板
３１    ランプ挿入孔
４０    天板
４１ａ、４１ｂ  リブ
４３    遮蔽板
５０    通気筒
【図１】
2006260986.tif 000003
【図２】
2006260986.tif 000004
【図３】
2006260986.tif 000005
【図４】
2006260986.tif 000006
【図５】
2006260986.tif 000007
【図６】
2006260986.tif 000008
【図７】
2006260986.tif 000009